【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
少なくとも１つの第１タイプの記録単位を含む記録媒体上に管理情報を記録するための方法であって、前記第１タイプの各記録単位は少なくとも１つの第２タイプの記録単位から構成され、前記第２タイプの各記録単位は少なくとも１つの第３タイプの記録単位から構成され、
前記第１タイプの記録単位の書込み可能位置からアドレスの増加する方向にユーザデータを順次記録することと、
前記第２タイプの最終記録単位の最終記録位置が前記第２タイプの最終記録単位の境界と一致しないとき、前記第２タイプの最終記録単位の前記第３タイプの残りの未記録記録単位をパディングデータでパディングすることと、
前記第２タイプの最終記録単位のどの部分がパディングされたかを識別するパディング識別情報を記録することであって、前記パディング識別情報は複数のパディングフラグから構成され、前記パディングフラグのそれぞれは前記第３タイプのそれぞれの記録単位と関係することと
を備えることを特徴とする方法。
【請求項２】
第１タイプの記録単位がクローズされるとき、オープンである第１タイプの各記録範囲の識別を担持するオープン記録単位情報から前記クローズした第１タイプの記録単位の識別を除去することをさらに備えることを特徴とする請求項１に記載の方法。
【請求項３】
新たな書込み可能位置から１以上の第２タイプの記録単位をパディングデータでパディングすることと、
前記１以上の第２タイプの記録単位がパディングされたことを示すためにパディング識別情報を記録することと
をさらに備えることを特徴とする請求項２に記載の方法。
【請求項４】
前記第１タイプの記録単位の書込み可能位置は、新たな書込み可能位置に移動され、前記新たな書込み可能位置は、前記第２タイプの次の利用可能な記録単位における第３タイプの最初の記録単位であることを特徴とする請求項１に記載の方法。
【請求項５】
少なくとも１つの記録単位を含む記録媒体上に管理情報を記録する方法であって、
前記少なくとも１つの記録単位にアドレスの増加する方向にデータを順次記録することと、
前記データの順次記録を終了するときに、最終記録単位の残りの未記録部分をパディングデータでパディングすることと、
前記少なくとも１つの記録単位のどの部分がパディングされたかを識別するパディング識別情報を前記記録媒体上に記録することと
を備えることを特徴とする方法。
【請求項６】
各記録単位はクラスタであり、各クラスタは複数のセクターから構成され、前記パディングすることにおいて、最終クラスタの全ての残りの未記録セクターが前記パディングデータでパディングされることを特徴とする請求項５に記載の方法。
【請求項７】
前記記録することにおいて、前記パディング識別情報は、前記クラスタのセクターにそれぞれ割り当てられた複数のパディングフラグを含み、前記パディングフラグは、前記セクターがパディングされたか否かによってある値に設定されることを特徴とする請求項６に記載の方法。
【請求項８】
前記パディングすることにおいて、前記パディングは、一度に１つのセクターに対して行われることを特徴とする請求項６に記載の方法。
【請求項９】
各クラスタは、３２のセクターから構成され、前記クラスタの３２のセクターにそれぞれ対応する３２のパディングフラグが存在することを特徴とする請求項７に記載の方法。
【請求項１０】
前記パディング識別情報は、前記記録媒体の管理領域に記録されることを特徴とする請求項５に記載の方法。
【請求項１１】
前記パディングすることにおいて、前記パディングデータは、ゼロであることを特徴とする請求項５に記載の方法。
【請求項１２】
少なくとも１つの順次記録範囲（ＳＲＲ）を含む記録媒体上に管理情報を記録するための方法であって、それぞれのＳＲＲは少なくとも１つのクラスタから構成され、
ユーザデータをＳＲＲに記録することと、
前記ユーザデータの記録を終了するとき、前記ＳＲＲの最終クラスタの残りの未記録領域をパディングデータでパディングすることと
を備えることを特徴とする方法。
【請求項１３】
前記パディングすることにおいて、前記パディングデータは、ゼロであることを特徴とする請求項１２に記載の方法。
【請求項１４】
各クラスタは複数のセクターで構成され、前記パディングすることにおいて、前記最終クラスタの全ての残りの未記録セクターは、前記パディングデータでパディングされることを特徴とする請求項１２に記載の方法。
【請求項１５】
少なくとも１つの基本記録単位から構成された順次記録単位であって、各基本記録単位は複数のセクターから構成される順次記録単位と、
前記順次記録単位の書込み可能位置からアドレスの増加する方向に順次記録されるユーザデータと、
最終基本記録単位の最終記録位置が前記最終基本記録単位の境界と一致しないとき、前記最終基本記録単位の残りの未記録セクターに記録されるパディングデータと、
前記最終基本記録単位のどの部分がパディングされたかを識別するパディング識別情報であって、前記パディング識別情報は複数のパディングフラグから構成され、前記パディングフラグのそれぞれは前記セクターのそれぞれと関係するパディング識別情報と
を備えたことを特徴とする記録媒体。
【請求項１６】
新たな書込み可能位置から１以上の基本記録単位に記録されたパディングデータと、
前記１以上の基本記録単位がパディングされていることを示すパディング識別情報と
をさらに備えたことを特徴とする請求項１５に記載の記録媒体。
【請求項１７】
前記順次記録単位の前記書込み可能位置は、新たな書込み可能位置に移動され、前記新たな書込み可能位置は、次の利用可能な隣の基本記録単位における最初のセクターであることを特徴とする請求項１５に記載の記録媒体。
【請求項１８】
少なくとも１つの記録単位と、
前記少なくとも１つの記録単位にアドレスの増加する方向に順次記録されたデータと、
前記データの順次記録を終了するとき、最終記録単位の残りの未記録部分に記録されたパディングデータと、
前記少なくとも１つの記録単位のどの部分がパディングされかを示すパディング識別情報と
を備えたことを特徴とする記録媒体。
【請求項１９】
各記録単位はクラスタであり、各クラスタは複数のセクターから構成され、最終クラスタの全ての残りの未記録セクターは前記パディングデータでパディングされることを特徴とする請求項１８に記載の記録媒体。
【請求項２０】
前記パディング識別情報は、前記クラスタのセクターにそれぞれ割り当てられた複数のパディングフラグを含み、前記パディングフラグは、前記セクターがパディングされているか否かによってある値に設定されることを特徴とする請求項１９に記載の記録媒体。
【請求項２１】
前記パディングは、一度に１つのセクターに対して行われることを特徴とする請求項１９に記載の記録媒体。
【請求項２２】
各クラスタは、３２のセクターから構成され、前記クラスタの３２のセクターにそれぞれ対応する３２のパディングフラグが存在することを特徴とする請求項１９に記載の記録媒体。
【請求項２３】
前記パディング識別情報は、前記記録媒体の管理領域に記録されたことを特徴とする請求項１８に記載の記録媒体。
【請求項２４】
前記パディングデータは、ゼロであることを特徴とする請求項１８に記載の記録媒体。
【請求項２５】
それぞれが少なくとも１つのクラスタから構成された少なくとも１つの順次記録範囲（ＳＲＲ）と、
前記少なくとも１つのＳＲＲのうち特定のＳＲＲに記録されたユーザデータと、
前記ユーザデータの記録を終了するとき、前記特定のＳＲＲの最終クラスタの残りの未記録領域に記録されたパディングデータと
を備えたことを特徴とする記録媒体。
【請求項２６】
前記パディングデータは、ゼロであることを特徴とする請求項２５に記載の記録媒体。
【請求項２７】
各クラスタは複数のセクターから構成され、前記最終クラスタの全ての残りの未記録セクターが前記パディングデータでパディングされたことを特徴とする請求項２５に記載の記録媒体。
【請求項２８】
順次記録単位を含む記録媒体上に管理情報を記録するための装置であって、各順次記録単位は少なくとも１つの基本記録単位から構成され、各基本記録単位は複数のセクターから構成され、
順次記録単位の書込み可能位置からアドレスの増加する方向にユーザデータを順次記録し、最終基本記録単位の最終記録位置が前記最終基本記録単位の境界と一致しないとき、前記最終基本記録単位の残りの未記録セクターをパディングデータでパディングし、前記最終基本記録単位のどの部分がパディングされたかを識別するパディング識別情報であって、前記パディング識別情報は複数のパディングフラグから構成され、前記パディングフラグのそれぞれはセクターのそれぞれと関係するパディング識別情報を記録する記録／再生部を備えたことを特徴とする記録装置。
【請求項２９】
前記順次記録単位の前記書込み可能位置は、新たな書込み可能位置に移動され、前記新たな書込み可能位置は、次の利用可能な基本記録単位における最初のセクターであることを特徴とする請求項２８に記載の装置。
【請求項３０】
少なくとも１つの記録単位を含む記録媒体上に管理情報を記録するための装置であって、
前記少なくとも１つの記録単位にアドレスの増加する方向にデータを順次記録し、前記データの順次記録を終了するとき、最終記録単位の残りの未記録部分をパディングデータでパディングし、前記最終記録単位のどの部分がパディングされたかを識別するパディング識別情報を前記記録媒体上に記録する記録／再生部を備えたことを特徴とする装置。
【請求項３１】
それぞれが少なくとも１つのクラスタから構成される少なくとも１つの順次記録範囲（ＳＲＲ）を含む記録媒体上に管理情報を記録するための装置であって、
ユーザデータをＳＲＲに記録し、前記ユーザデータの記録を終了するとき、ＳＲＲの最終クラスタの残りの未記録領域をパディングデータでパディングする記録／再生部を備えたことを特徴とする装置。